(57)【要約】【課題】軽量で低価格を維持しながら静電気耐性を向上させることを可能にした非金属製レンズマウントを使用した交換レンズユニットを提供すること。【解決手段】交換レンズユニットにおいて、交換レンズユニット内で絶縁して固定される電子回路基板と、導電材料を混入した非金属製のレンズマウントと、前記電子回路基板の周囲を覆うように配置される導電材料を混入した非金属製のマウントリングと、前記電子回路基板とカメラ本体内の電子回路基板とを電気的に接続するための接点ブロックと、前記電子回路基板と前記接点ブロックを接続する配線部材とを備え、前記電子回路基板のグランド信号は前記配線部材のグランドラインを経由して前記接点ブロックのグランド端子に接続され、前記接点ブロックのグランド端子からはグランドラインが延長され、前記延長されたグランドラインは前記導電材料を混入した非金属製のレンズマウントに導通固定されることを特徴とする構成とした。【選択図】  図１
2015169924.tif 000002
【特許請求の範囲】
【請求項１】
マウントによってレンズ交換可能なレンズ交換式カメラの交換レンズユニットにおいて、交換レンズユニット内で絶縁して固定される電子回路基板と、
導電材料を混入した非金属製のレンズマウントと、
前記電子回路基板の周囲を覆うように配置される導電材料を混入した非金属製のマウントリングと、
前記電子回路基板とカメラ本体内の電子回路基板とを電気的に接続するための接点ブロックと、
前記電子回路基板と前記接点ブロックを接続する配線部材とを備え、
前記電子回路基板のグランド信号は前記配線部材のグランドラインを経由して前記接点ブロックのグランド端子に接続され、
前記接点ブロックのグランド端子からはグランドラインが延長され、
前記延長されたグランドラインは前記導電材料を混入した非金属製のレンズマウントに導通固定されるように構成したことを特徴とする交換レンズユニット。
【請求項２】
前記導電材料はカーボン材料であることを特徴とする請求項１に記載の交換レンズユニット。
【請求項３】
前記延長されたグランドラインが前記導電材料を混入した非金属製のレンズマウントに導電性のあるビスで導通固定されることを特徴とする請求項１に記載の交換レンズユニット。
【請求項４】
前記延長されたグランドラインが前記導電材料を混入した非金属製のレンズマウントにビスで押し付けられることで導通固定されることを特徴とする請求項１に記載の交換レンズユニット。
【請求項５】
前記延長されたグランドラインと前記非金属製のレンズマウントの間に導電性のある材料を挟み込むことで導通固定されることを特徴とする請求項１に記載の交換レンズユニット。
【発明の詳細な説明】
【技術分野】
【０００１】
本発明は、レンズ交換式カメラの交換レンズユニットに関し、特に非金属製レンズマウントを備えた交換レンズユニットに関するものである。
【背景技術】
【０００２】
レンズ交換式カメラの交換レンズユニット内には電子回路基板が配置されており、カメラボディと通信し、交換レンズユニット内のアクチュエータの駆動や、交換レンズユニット内の情報をカメラボディへ伝える。この電子回路基板は交換レンズユニット内に固定されるが固定先は一般的に樹脂材料であり、交換レンズユニット内において絶縁されている。
【０００３】
また、レンズの軽量化や低コスト化のため、レンズ外装やレンズマウントも樹脂が使用されるようになってきている。このため交換レンズユニットに静電気が印加されても基本的に放電し難くなっている。しかし沿面距離が取れずに内部の電子回路基板に放電する場合があり、このとき放電電流は電子回路基板内のグランドパターンから配線部材のグランドラインを経由してカメラボディの電子回路系へ直接侵入する。配線部材や電子回路基板のグランドパターンは基板寸法の制約上太くできないため、放電電流に対してはインピーダンスが高くグランドレベルが不安定になる。この結果カメラシステムとして誤動作が発生しうることになる。
【０００４】
特許文献１は不要輻射ノイズ対策として電子回路基板のグランドを配線部材経由で金属製レンズマウントに接続することを提案した特許であるが、静電気対策としても有効である。
【先行技術文献】
【特許文献】
【０００５】
【特許文献１】特許第５２３４１８８号明細書
【発明の概要】
【発明が解決しようとする課題】
【０００６】
しかしながら、上述の特許文献１に開示された従来技術ではレンズマウントが金属製でなければならず、重量は重く、コストは高くなってしまう。この提案は昨今の軽量で低価格なレンズの開発に対しては影響度が大きい。
【０００７】
そこで、本発明の目的は、軽量で低価格を維持しながら静電気耐性を向上させることを可能にした非金属製レンズマウントを使用した交換レンズユニットを提供することである。
【課題を解決するための手段】
【０００８】
上記目的を達成するために本発明は、
マウントによってレンズ交換可能なレンズ交換式カメラの交換レンズユニットにおいて、交換レンズユニット内で絶縁して固定される電子回路基板と、導電材料を混入した非金属製のレンズマウントと、前記電子回路基板の周囲を覆うように配置される導電材料を混入した非金属製のマウントリングと、前記電子回路基板とカメラボディ内の電子回路基板とを電気的に接続するための接点ブロックと、前記電子回路基板と前記接点ブロックを接続する配線部材とを備え、前記電子回路基板のグランド信号は前記配線部材のグランドラインを経由して前記接点ブロックのグランド端子に接続され、前記接点ブロックのグランド端子からはグランドパターンが延長され、前記延長されたグランドパターンは前記導電材料を混入した非金属製のレンズマウントに導通固定されるように構成したことを特徴とする。
【発明の効果】
【０００９】
本発明によれば、軽量で低価格でかつ静電気耐性の向上した交換レンズユニットを提供することができる。
【図面の簡単な説明】
【００１０】
【図１】本発明の一実施の形態によるカメラシステムのブロック図である。
【図２（ａ）】本発明の交換レンズユニットをレンズマウント側から見た図である。
【図２（ｂ）】本発明の交換レンズユニットのレンズマウントを開いた状態でレンズマウント側から見た図である。
【発明を実施するための形態】
【００１１】
以下に、本発明の好ましい実施形態を、添付の図面に基づいて詳細に説明する。
【００１２】
［実施例］
図１は、本発明の導電材料を混入した非金属製レンズマウントを搭載した交換レンズユニットと、該交換レンズユニットが着脱可能に装着されるカメラボディから構成されるカメラシステムのブロック図の一例である。
【００１３】
図１において、カメラシステム１は交換レンズユニット２とカメラボディ３から構成される。カメラボディ３内には、カメラＣＰＵ３０、制御系電源３１、駆動系電源３２、通信Ｉ／Ｆ部３３、レンズ装着検出部３４、測距ユニット３５、カメラマウント３ａ、接点ブロック３ｂが設けられている。
【００１４】
カメラＣＰＵ３０はカメラボディ３のすべての制御を司っており、内部にはＲＡＭ，ＲＯＭ，ＥＥＰＲＯＭ等を内蔵している。制御系電源３１は、測距ユニット３５や不図示の測光部等の電力消費量が比較的少なく安定した出力電圧を必要とする制御系回路に電力を供給する。駆動系電源３２は、制御系電源３１の電圧、電力を検出し、交換レンズユニット２や不図示のシャッタ制御部等の電力消費量が比較的多い駆動系回路に電力を供給する。通信Ｉ／Ｆ部３３は後述のレンズＣＰＵ２０と通信を行うためのＩ／Ｆ回路で、測距情報や測光情報、ＩＤ情報、電源等を送受信する。レンズ装着検出部３４は交換レンズユニット２が装着されたことを検出する。
【００１５】
測距ユニット３５は交換レンズユニット２からの光束を用いて被写体までのデフォーカス量を検出する、いわゆる位相差検出型の測距ユニットである。カメラマウント３ａは、交換レンズユニット２を後述のレンズマウント２ａを介してカメラボディ３に機械的に着脱可能にする。接点ブロック３ｂは複数の通信端子を有し、カメラマウント３ａに交換レンズユニット２を装着した際に後述の交換レンズユニット側の接点ブロック２ｂに結合される。
【００１６】
交換レンズユニット２内には、レンズＣＰＵ２０、フォーカスレンズ２１、フォーカスレンズ駆動部２２、絞り羽根２３、絞り開放位置検出センサ２４、ステッピングモータ２５、絞り駆動部２６、通信Ｉ／Ｆ部２７、レンズマウント２ａ、接点ブロック２ｂが設けられている。
【００１７】
レンズＣＰＵ２０は交換レンズユニット２内のすべての制御を司っており、内部にはＲＡＭ、ＲＯＭ、ＥＥＰＲＯＭ、後述するステッピングモータ２５を駆動するための駆動制御部等を内蔵している。フォーカスレンズ駆動部２２はレンズＣＰＵ２０からの命令に従ってフォーカスレンズ２１を光軸に沿って駆動させることで焦点調節を可能にしている。
【００１８】
絞り駆動部２６はレンズＣＰＵ２０からの命令に従ってステッピングモータ２５を回転させることで絞り羽根２３を駆動し、絞り値（Ｆ値）を制御している。絞り開放位置検出センサ２４はフォトインタラプタ等のセンサで構成されており、絞り羽根が開放位置か否かを検出し、その検出結果はレンズＣＰＵ２０によって管理されている。通信Ｉ／Ｆ部２７はカメラＣＰＵ３０と通信を行うためのＩ／Ｆ回路で、測距情報や測光情報、ＩＤ情報、電源等を送受信する。
【００１９】
レンズマウント２ａは、カメラボディ３をカメラマウント３ａを介して交換レンズユニット２に機械的に着脱可能にする。接点ブロック２ｂは複数の通信端子を有し、レンズマウント２ａにカメラボディ３を装着した際にカメラボディ側の接点ブロック３ｂに結合される。
【００２０】
図２に沿って本発明の詳細について説明する。図２（ａ）は交換レンズユニット２をレンズマウント２ａ側から見た図である。レンズマウント２ａ及びマウントリング２ｃは導電材料が混入された樹脂で作られている。マウントリング２ｃは内部の電子回路基板４０の周囲を覆うように配置されている。接点ブロック２ｂは、金属製の接点端子部（不図示）以外は導電性の無い樹脂で作られている。
【００２１】
図２（ｂ）は、図２（ａ）のレンズマウント２ａを交換レンズユニット２から外して開いた図である。レンズマウント２ａには接点ブロック２ｂが取り付けられ、接点ブロック２ｂと電子回路基板４０は配線部材であるフレキケーブル４１で接続される。電子回路基板４０は交換レンズユニット２に対して固定部４０ａで絶縁して固定される。フレキケーブル４１には、カメラボディ３と交換レンズユニット２間の通信信号線や電源線のパターンが引かれている。
【００２２】
電子回路基板４０のグランドパターンは、コネクタ４０ｂを介してフレキケーブル４１上のパターン４１ａにより接点ブロック２ｂのグランド端子に接続される端子パターン４１ｂに接続される。また、フレキケーブル４１は、接点ブロック２ｂの端子に接続する端子パターン以外に、レンズマウント２ａに接続するための端子パターン４１ｄと、端子パターン４１ｄとグランドである端子パターン４１ｂを接続するための延長パターン４１ｃを備える。尚、フレキケーブル４１上の４１ａと４１ｃ以外のパターンは不図示としている。
【００２３】
静電気が交換レンズユニット２の外部から電子回路基板４０に放電したとき、従来ではフレキケーブル４１から接点ブロック２ｂ内のグランド信号経由でカメラ側に放電電流が流れ、信号グランドが大きく変動してカメラシステムで誤動作が発生しえた。
【００２４】
本発明ではマウントリング２ｃ及びレンズマウント２ａの樹脂に導電材料が混入してあるため、静電気は電子回路基板４０には放電し難くなる。放電電流のほとんどはマウントリング２ｃ、レンズマウント２ａ、カメラマウント３ａ、カメラ側グランド（不図示）の経路で流れ、信号グランドを不安定にする要因から解放される。また、電子回路基板４０に放電することがあったとしても、電子回路基板４０のグランドは端子パターン４１ｄと延長パターン４１ｃによりレンズマウント２ａに接続されている。このため、この場合も放電電流の多くはマウントリング２ｃ、レンズマウント２ａ、カメラマウント３ａ、カメラ側グランド（不図示）の経路で流れ、信号グランドを不安定にする要因から解放される。
【００２５】
以上のことより、静電気の放電による信号グランドの変動は大きく軽減され、カメラ側での誤動作を発生し難くすることができる。
【００２６】
尚、レンズマウント２ａと端子パターン４１ｄの接続方法としては、金属ネジ等の導電性のあるネジで直接固定する以外に、端子パターン４１ｄの導電部を直接レンズマウント２ａに押し付けるように固定することで導通を取ってもよい。また、端子パターン４１ｄの導電部とレンズマウント２ａの間に導電性のある材料を挟み込み、これを押し付けるように固定することで導通を取ってもよい。
【００２７】
また、電子回路基板４０の周囲を覆うものをマウントリング２ｃとして記載しているが、電子回路基板４０の周囲を覆うものであればマウントリングという名称に限定されるものではない。
【符号の説明】
【００２８】
１    カメラシステム
２    交換レンズユニット
２ａ  レンズマウント
２ｂ  接点ブロック
２ｃ  マウントリング
３    カメラボディ
３ａ  カメラマウント
３ｂ  接点ブロック
２０  レンズＣＰＵ
２１  フォーカスレンズ
２２  フォーカスレンズ駆動部
２３  絞り羽根
２４  絞り開放位置検出センサ
２５  ステッピングモータ
２６  絞り駆動部
２７  通信Ｉ／Ｆ部
３０  カメラＣＰＵ
３１  制御系電源
３２  駆動系電源  
３３    通信Ｉ／Ｆ部  
３４    レンズ装着検出部  
３５    測距ユニット  
４０    電子回路基板
４０ａ  固定部
４０ｂ  コネクタ
４１    フレキケーブル
４１ａ  パターン
４１ｂ  端子パターン
４１ｃ  延長パターン
４１ｄ  端子パターン
【図１】
2015169924.tif 000003
【図２（ａ）】
2015169924.tif 000004
【図２（ｂ）】
2015169924.tif 000005